(57)【要約】【課題】商業的な製品の偽造防止の保護を提供し、消費者、卸売業者、及び関係管轄機関が製品の認証及び流通におかれた他の商品のチェックを早く、確実にする方法を提供すること。【解決手段】認証マークは、保護媒体を恒久的に破壊しなければ識別の組み合わせを読み取ることができない方法で製品に付される。製造者は、認証システム管理者に、そのような認証マークを有する商品の記述を提供する。認証システム管理者は、請求に含まれていた識別の組み合わせを、認証データベース中の識別の組み合わせと比較する。この認証データベース中の識別の組み合わせのシリアルナンバーは、商品のシリアルナンバーと一致する。認証を実行する人物は、この人物が所有する製品の記述が、認証システム管理者から受け取った製品の記述と一致するかどうか、商品の認証について結論付ける。【選択図】なし【特許請求の範囲】
【請求項１】
流通におかれた商品の認証方法であって、
認証システム管理者は、認証する製品の製造者の要求により、前記商品の前記製造者に対し、認証マークの特定された量を製作して供給し、前記認証マークのそれぞれは一部が読み取りのために開かれている（顕在的な）前記認証マークのシリアルナンバーであり、他の部分は保護媒体で覆われていて視認できない（秘密の）識別の組み合わせであり、
続いて前記製造者は、前記認証システム管理者から提供されたマークを前記保護媒体に恒久的に破壊しなければ前記識別の組み合わせを読み取ることができないような方法で、前記商品に付して前記流通におき、前記認証システム管理者に前記認証マークを備える商品の記述を提供し、
前記商品の有する前記認証マークの前記流通に参加し、その認証に関心のある人物は、整合性をチェックしたあと前記保護媒体を取り除いて前記識別の組み合わせを読み、前記認証システム管理者に前記シリアルナンバーと、前記商品の前記識別の組み合わせとを含んだ請求を可能な伝達手段によって送り、
前記認証システム管理者は、前記請求の中の前記識別の組み合わせを、認証データベースの中の識別の組み合わせと一致するかどうかを確認し、この認証データベースの中の識別の組み合わせは、前記認証データベースの中の前記シリアルナンバーが前記商品の前記シリアルナンバーと一致しているものであり、それぞれの前記識別の組み合わせが一致する場合には、前記商品の前記認証の手続きを行う人物に、この人物から提供された前記認証マークに関連するデータベースの中で入手可能な前記商品の記述を送り、
前記認証を行う前記人物は、この人物が所有する前記商品の記述が、前記認証システム管理者から受け取った前記商品の記述と一致する場合には、前記商品の前記認証に関して結論づけることを特徴とする流通におかれた商品の認証方法。
【請求項２】
前記識別の組み合わせは、任意に製作される続きの桁及び／又は文字及び／又は図形のシンボルである請求項１に記載の方法。
【請求項３】
前記識別の組み合わせは、さらに前記認証マークの前記シリアルナンバーの複製を含む請求項１に記載の方法。
【請求項４】
前記商品の前記製造者は、前記認証マークを直接前記製品及び／又は個々の前記商品の包装及び／又は個々の前記商品を複合した共通する包装に付すことにより、それぞれの商品に対し一つ以上の前記商品の前記認証マークを流通におく請求項１に記載の方法。
【請求項５】
前記認証マークの前記識別の組み合わせは、前記製品の包装の内部に配置することにより視認されることから保護されており、前記製品の前記包装の整合性を侵さずには読むことができない請求項１に記載の方法。
【請求項６】
前記認証システム管理者に提供された前記商品の記述は、製品名、製造者名、及び／又は前記商品の特性を特徴づける情報の記述及び／又は前記商品が備える前記認証マークの特性を保証する人物の情報を含む請求項１に記載の方法。
【請求項７】
前記製品を認証する人物は、前記認証システム管理者に、認証される前記商品の履歴を生成する前記人物の個人的なデータを提供する請求項１に記載の方法。
【請求項８】
前記認証システム管理者は、前記製品を認証する人物に、前記商品の以前の認証の情報を提供する請求項１又は７に記載の方法。
【発明の詳細な説明】
【技術分野】
【０００１】
本発明は、あらゆる種類の商業的製品の製造及び販売に関し、特定の商標のもとに製造される商品の偽造防止の保護に用いられる。商品には、医薬、香水、化粧品や、製造のための原材料や基材、シガレット、タバコ、アルコール飲料を含む食料、機械類の部品やユニット、機械装置、電子装置、電子メディア、印刷物、一般的な属性を備える他の製品が含まれ、大規模の流通におかれる。
【背景技術】
【０００２】
今日、製造業者は、製造業者が所有する商標の付された偽造や許可を得ていない様々な商品の製造のために、多くの材料や道徳の喪失を被っている。模倣防止のための保護の一つの方法は、商業的に発売された製品の認証をすることである。この手続きは、実際に認証された商品を流通においた製造者の確認を含む。
【０００３】
偽造を特定する方法が知られている（例えば、特許文献１参照。２００３年４月１０日公開）。特許文献１では、製品は、認証マークとして、メディア材料に付された無作為の内部に構築された装飾を付される。
【特許文献１】露国特許第２２０２１２７号明細書
【特許文献２】露国特許第２２２４６４１号明細書
【０００４】
この方法の不利な点は、認証マークが偽造されることである。木、石、葉といった自然素材の生来の内部の構造の形で、認証マークのための無作為の内部の装飾を製造することが提案されている。しかしながら、コピーのプロセスや、無作為の装飾に基づいた認証マークの偽造は、偽造者も含んだ幅広い消費者に商業的に手に入るスキャナや、デジタルスチルカメラ、デジタル電子装置を用いて視認可能な構造をコピーする発展した技術があるため、技術的に問題がない。
【０００５】
また、偽造防止の保護の方法も知られている（例えば、特許文献２参照。２００４年３月１０日公開）。特許文献２では、製品は、印刷などと組み合わせられた識別表示を適用して印される。識別表示の組みあわせは視認できないようになっており、個々の識別ナンバーはデーターベースに記憶されている。
【０００６】
この方法は、製品を認証するときに、認証ナンバーのデータベース管理者が、無作為の数字の列からなるデーターベースの全体か個々の特定の製品の識別ナンバーをチェックしなければならないことである。データベースに入力する回数が多い場合には、識別番号のサーチ手続きが、高い効率で使用できなければならず、このため高価なコンピューターを必要とし、しかも時間がかかる。公知の技術は、識別表示の組合わせの無作為に生成される部分の桁の許容数は、６桁であることを暗示している。しかしながら、商業的な生産では、同じ群に属する製品の認証のための無作為の組み合わせのよい部分が、一つのワーキングシフトで使い尽くされてしまう状況が持ち上がる。何百何千もの商品が、このシフトの間に生産されるからである。そして、この保護方法の信頼性は、減少し、無作為の組み合わせは偽造者によって再生産される。このため、偽造防止されていない商品は管理者のデータベースにすでに存在する組み合わせと一致するであろう。このため、公知の発明の適用では、偽造防止の必要が、大規模の製造の場合よりもはるかに小さい規模でであるような、認証を必要とする製品の小さな桁の製造に限定される。この発明の他の不利な点は、同じ商品の繰り返しの認証を考えていないことである。このため、商品の認証に関する結果は、データベースの管理者にのみ示され、製品を認証する人間は、問題の商品に認証に関して個々の判断が下される認証される製品について、何の情報も得られない。
【発明の開示】
【発明が解決しようとする課題】
【０００７】
ここで開示される本発明の目的は、商業的製品の効率的で汎用性のある偽造保護を提供することであり、消費者、卸売業者、関係監督機関に、製品や流通におかれた他の商品の認証を、早く、信頼できるチェックができるようにすることである。
【課題を解決するための手段】
【０００８】
以下はここに開示される本発明による方法の記述であり、上記の目的と、続く技術的な結果が達成される。商標を付した製品や、第三者の名による元の製品の許可されていない製造からの製造者の保護を改良すること。多くの情報を含むデータベースで、認証される製品の情報を早くサーチできることにより進展した効率化。繰り返し同じ商品を認証でき、商品の流通の履歴を追跡できること。流通におかれた製品をマークすることや、認証手続きを単純化することによる、方法の単純化及びコストの低減。
【０００９】
この流通におかれた商品の認証方法によれば、認証システム管理者は認証する商品の製造者に、製造者の要求に応じて所定量の認証マークを提供する。それぞれの認証マークは、シンボルのセットを有する。このセットの一部分は、読み取りのためであり、認証マークのシリアルアンバーである。このセットの他の部分は、視認できない保護媒体で覆われており、識別の組み合わせである。
【００１０】
次に、製造者は、上記の通り提供された認証マークを付して商品を流通させる。認証マークは、識別の組み合わせを保護媒体に究極的な損傷を与えないで読み取ることはできないように製品に付される。製造者は認証システム管理者にそのような認証マークを有する商品を記述したものを提供する。
【００１１】
認証マークを有する商品の流通に関わっている人及びこの商品の信頼性に関心のある人は、そのインテグリティ（整合性）をチェックした後、保護媒体を除去して保護の組み合わせを読み、認証マークのシリアルナンバーと、可能なあらゆる伝達手段を介する商品の認証マークの識別の組み合わせとを含んだ請求を認証システムの管理者に対して送る。
【００１２】
認証システム管理者は、請求で特定された識別の組み合わせを、認証データベース中の識別の組み合わせと比較する。この認証データベース中の識別の組み合わせのシリアルナンバーは、請求で特定されたシリアルナンバーと一致するものである。そしてもし個々の識別の組み合わせが一致すれば、商品の認証を実行する人物に、データベースに含まれ、問題の認証マークに関連する商品に関する記述を送る。
【００１３】
認証を実行する人物は、この人物が所持する商品の記述が認証システム管理者から受け取った製品の記述と一致する場合には、商品の信頼性に関して結論を出す。
【００１４】
この方法の特定の実施形態では、識別の組み合わせは、任意に作られる続きの桁及び／又は文字及び／又は図形のシンボルである。
【００１５】
この方法の特定の実施形態では、識別の組み合わせはさらに認証マークのシリアルナンバーを複製することを含む。
【００１６】
さらに、この方法の特定の実施形態では、商品の製造者は、一つ以上の認証マークを付したそれぞれの商品のマークを、製品及び／又は個々の製品の包装及び／又は個々の商品を複合した共通する包装に直接認証マークを付すことにより、流通させる。
【００１７】
さらに、この方法の特定の実施形態では、認証マークの識別の組み合わせは、これを製品パッケージの内側に配置することで、視認されることから保護されている。このため、製品の包装のインテグリティを破らずに読み取ることができない。
【００１８】
この場合、この方法の特定の実施形態では、認証システム管理者に提供された商品の記述は、製品の記述すなわち、製造者名及び／又は商品の特性を特徴づける他の情報及び／又は商品が有する認証マークの特性を認証する人物の情報を含む。
【００１９】
また、この方法の特定の実施形態では、製品を認証する人物は、認証システム管理者に、認証されている商品の流通履歴を生じさせる人物の個人的な情報を提供する。
【００２０】
また、この方法の特定の実施形態では、認証システム管理者は、製品を認証する人物に、その商品の以前の認証の情報を提供する。
【発明を実施するための最良の形態】
【００２１】
認証する商品を流通に方法が以下に実施される。
【００２２】
この方法の実施に参加する人物は以下の通りである。認証する商品（製品）の製造者、商品の流通に参加し、認証手続きを実行する人物、認証システム管理者。
【００２３】
流通におかれた商品の認証方法において、認証システム管理者は、認証する商品の製造者の請求に応じて、請求された量の認証マークを製作し、この認証マークを商品の製造者に供給する。それぞれの認証マークは、シンボルのセットを含んでいる。このセットの一部分は、読み取りできるように開かれて（顕在して）おり、これは認証マークのシリアルナンバーである。このセットの他の部分は、視認できない保護された媒体で覆われており、任意に作られる続きの桁及び／又は文字及び／又は図形のシンボルの識別の組み合わせを含む。保護された媒体で覆われた任意のシンボルの組み合わせには、認証マークのシリアルナンバーの複製が追加される。
【００２４】
認証マークの桁の数字は、認証されていない商品の認証マークを複製しようとする偽装者によって複製の原因となる可能性を最小限にするように選ばれる。この識別の組み合わせは、少なくとも８桁を含み、それぞれの認証マークごとに固有のシリアルナンバーに割り当てられる。このように、複製の原因となる可能性を最小限にする。シリアルナンバーに割り当てられた識別の組み合わせを見つけようとして試される可能な数字の変形は、一億である。
【００２５】
製造者は、流通におかれた商品に、認証システム管理者によって提供された認証マークで印を付ける。商品は、製品及び／又は個々の製品の包装及び／又は個々の商品を複合した共通する包装に一つ以上の認証マークを印される。識別の組み合わせは、保護媒体を恒久的に破らないでは見られないような方法で付される。これに続いて、製造者は、認証システム管理者に、認証マークを有する商品に関して記述したものを提供する。認証システム管理者に提供される商品の記述は、製品の記述、製造者名及び／又は商品の特性を特徴づける他の情報及び／又は商品が有する認証マークの特性を認証する人物の情報を含む。
【００２６】
流通している商品が有する認証マークを認証するために、この商品を認証し、認証手続きを行おうとする人物は、識別の組み合わせで覆われている保護媒体のインテグリティをチェックし、保護媒体を取り除いて識別の組み合わせを読み、認証マークのシリアルナンバーと、可能なあらゆる伝達手段を介する商品の認証マークの識別の組み合わせとを含んだ請求を認証システムの管理者に対して送る。
【００２７】
保護媒体の下のシンボルは、保護媒体か、商品の包装自体を恒久的に破壊しなければ読むことはできない。この目的のため、識別の組み合わせの保護媒体は、剥がすことのできる紙片や、スクラッチできる金属、プラスチック、またはスパッタリングや他の方法で塗布される他の塗装によって作製されてよい。さらに、識別の組み合わせは、紙や他の素材で作製される折られたラベルの中に隠されていてもよい。折られたラベルは識別の組み合わせを読むために、ちぎられるか、又は開かれる。識別の組み合わせは、製品の包装を恒久的に破壊しなければ読むことができないような方法で、製品の包装に隠されていてもよい。
【００２８】
認証システム管理者は、請求の中に含まれていた識別の組み合わせを、認証データベースの中のそのシリアルナンバーと、商品のシリアルナンバーとが一致する識別の組み合わせに対してチェックする。それぞれの識別の組み合わせが一致すれば、認証システム管理者は、分析された認証マークは実際に認証システム管理者によって生成されたものであると結論づけ、認証手続きが継続される。これに続いて、認証システム管理者は、商品の認証手続きを実行している人物に対し、この人物から提供された認証マークに関する、データベースで利用できる商品の記述を送る。この記述は、製造者名、他の商品の製造者の情報、もしあれば商品の以前の認証の情報や製品の記述などを含む。認証システム管理者から受け取った特定の認証マークに関する記述が、認証する人物に認証可能な製品の情報と一致する場合、商品の真偽に関する結論は、製品を認証する人物によってなされる。
【００２９】
本発明のもとでは、製品の認証は、認証マークのシリアルナンバーを認証マークデータベースでサーチすることによって行われる。様々なシンボルの任意の組み合わせである識別の組合わせを、データベースでサーチすることは、商品の認証技術では提供されない。識別の組み合わせは、商品の認証の請求において送られる認証マークのシリアルナンバーに関連して、情報処理の正当性を確かめるためだけに用いられる。商品の認証方法の特別な特徴によれば、単純なソフトウェア及びハードウェアを用いてデータ処理を行い、データをサンプリングする時間を最小限にできる。これにより、大容量の情報を含むデーターベースにおいて、製品の認証に早いデーターサーチが提供される。
【００３０】
認証システム管理者と通信する際には、商品を認証する人物は、認証システム管理者に自分の個人的なデータを追加的に提供してもよい。このデータは認証される製品の流通履歴に含まれ、例えば、他の真偽の証明書として、商品の流通の正当性を確かめるために用いられる。
【００３１】
本発明は、商品に一つ以上の認証マークを印すための条件を含む。商品が一人の人物から他の人物に流通するにしたがって、流通に参加するそれぞれの人物は、まだ識別の組み合わせで覆われていない認証マークの一つを用いて製品を認証することができる。これにより、同じ商品の複数の認証が可能になる。
【００３２】
本発明は、製品製造者から認証システム管理者へ、商品が有する認証マークの記述を通信する条件を含む。この情報は、製品名、製造者名、もし製造者が望み認証システム管理者が許せば、商品の特性及び／又は商品が有する認証マークの典型的な及び／又は記述的データで、商品の特性や、商品が有する認証マークの特性を保証する人物の情報で商品を特徴づけるものを含む。この情報は、商品に付された認証マークのシリアルナンバーに、製造者から与えられる。このデータは、認証マークを偽造するために用いることはできない。データは、認証マークのシリアルナンバーとともに認証システム管理者のデータベースで認証マークに関連づけられている識別の組み合わせを含む。これにより、製造者から認証システム管理者に対し、開かれた通信チャネルを介して認証マークの伝達をすることができる。
【００３３】
本発明は、製品を認証する人物から認証システム管理者に対する情報伝達の条件を含む。この情報は、認証手続きの中で供給され、認証マークデータベースに入力される。商品の認証手続きで用いられてきた認証マークについて認証の繰り返された請求の際に、この繰り返された請求を行う人物は、この認証マークに関連する最初の認証のデータを提供される。このデータは、もしそのような情報がデータベースから入手可能であれば、誰がこの認証マークについて、認証手続きを最初に行ったのかを含む。これにより商品の流通、すなわち商品の流通に参加しているある人物から他の人物への移動の履歴を追跡することができる。この履歴により、ある人物から他の人物への製品の移動の（法的な）正当性を追跡することができる。そして、製品に認証の追加的で間接的な確認をすることができる。
【００３４】
ここで提案される方法を用いた認証の信頼性は、認証されていない製品の認証マークを偽造したり複製するための経済的な理由もなく、提供される。本物の識別の組み合わせを知るためには、偽造者は、彼らが偽造しようと企てている数と同じ数の、本物の識別の組み合わせを含んで認証マークを付され認証された製品を購入しなければならない。識別の組み合わせを読むため、その上の保護媒体を取り除いた後は、これらの認証された製品は、もはや売ることはできない。なぜなら、消費者は、識別の組み合わせが覆われていないことが見てとれるため、これらの製品が潜在的に認証されえないものであると認識するからである。もしも偽造者が一つの識別の組み合わせを偽造品のひとかたまりの全てに用いる場合には、これらの製品は、２回目の認証の請求から同じ識別の組み合わせであるために認証されたものではないと特定される。偽装者が任意に選んだ識別の組み合わせを有する認証マークを印していた場合にも、製品は認証されていないものと特定される。このように、偽造者が、偽造を発見される恐れと、その先の手続きとして課されるそのような製品を製造し、流通におくことに参加した人物への法の適用を理解することで、認証されていない製品を流通に放つことは、非常に複雑である。このため、製造者が所有する商標の下で、第三者による認証されていない商品が製造されることから、高い程度で製造者の保護が提供される。
【００３５】
ここで開示される発明により、非常に効果的で、実現するための高い費用をかけることなく、製品の偽造者に対向することが可能となる。
【国際調査報告】
2009524128.tif 000002